(57)【特許請求の範囲】
【請求項１】
スタンド一体型粘着テープ清掃用具において、粘着テープが支持具により回転自在に成っていて、粘着テープを覆う上カバーと、前カバーと、後ろカバーがスタンド機能を成して、支持具は、上カバー上に支持グリップと上カバー左右にテープホルダー面が形成されていて、左右のテープホルダー面のそれぞれに左右のテープホルダー面を左右に広げる為のフィンガーフックとテープホルダー軸とを形成して、粘着テープの左右に装着するテープホルダーにテープホルダー軸受けを形成して、テープホルダー軸にテープホルダーを回転自在に装着していて、後ろカバーの左右に後ろカバー左右面と、前カバーの左右に前カバー左右面を形成して、左右の前カバー左右面から外向きに後ろカバー装着管を形成して、後ろカバーに扇転穴を形成し扇転穴に後ろカバー装着管が挿入されていて、後ろカバーの上部の隆起部に後ろカバースタンド溝を設け、後ろカバーの下部は外向きに開いていて、後ろカバー下部に後ろカバーフック溝を形成し、上カバー後ろの下部に後ろカバーフックを設けて、後ろカバースタンド溝に後ろカバーフックを脱着容易に係止出来て、前カバーの上部の隆起部に前カバースタンド溝を設け、前カバーの下部は外向きに開いていて、前カバー下部に前カバーフック溝を形成して、上カバー前の下部に前カバーフックを設けて、前カバースタンド溝に前カバーフックが脱着容易に係止出来る、と共に、前カバーの左右に切込みを設け、前カバーの左右の間に折り曲げ溝を形成して、粘着テープを切断する際は、前カバーの下部を内側に押すと切込みと折り曲げ溝により折り曲げ溝から下が容易に内側に曲がって、前カバーの下部を粘着テープの切断部に押し当てて粘着テープの切断部を真っ直ぐ切断することが出来る事を特徴とするスタンド一体型粘着テープ清掃用具。
【請求項２】
スタンド一体型粘着テープ清掃用具において、粘着テープを装着する支持具とスタンドとから成る粘着テープ清掃用具であって、支持具は、支持グリップと、支持グリップから左右に伸びる支持アーム上部と、左右の支持アーム上部の左右の端が下に伸びた支持アーム側部により構成され、左右の支持アーム側部端に、フィンガーフックと、左右の支持アーム側部の両者から内向きにテープホルダー軸が形成されていて、前記スタンドは、テープホルダー軸を貫通する穴を有する足板が左右のテープホルダー軸のそれぞれに回転自在に装着されて、左右の足板はスタンドバーにより繋がれていて、左右の支持アーム側部の向かい合う両者の内面であって、左右の支持アーム側部に形成されたテープホルダー軸から放射状に上下左右に伸びる山が設けてあり、左右の足板の両者の外面であって、テープホルダー軸を貫通する穴から放射状に上下左右に伸びる溝が設けてあって、山と溝は係止できて、テープホルダー軸受けが形成されたテープホルダーが粘着テープの左右に装着されて、左右のテープホルダー軸受けに左右のテープホルダー軸が回転自在に挿入されていて、前記左右の足板とスタンドバーとの接合部にカッターバーアームが装着されていて、左右のカッターバーアームの間にカッターバーが設けてあって、左右のカッターバーアームのそれぞれ一端にアーム突起が形成され、左右の足板に穴が設けてあって、左右の足板の穴にアーム突起を脱着容易に係止出来て、カッターバーは扇転自在に成っていて、粘着テープの切断部にカッターバーを押し当てて粘着テープを真っ直ぐに切断出来る事を特徴とするスタンド一体型粘着テープ清掃用具。
【請求項３】
スタンド一体型粘着テープ清掃用具において、粘着テープの粘着面に微細な塵を粘着して清掃する巻粘着テープが支持具により回転自在に成っていて、使用後直ちに立置きできる清掃用具は、巻粘着テープの紙管を装着する紙管装着軸と、紙管装着軸を装着する支持具とスタンドにより形成されていて、支持具の構成を支持グリップと支持アームと支持シャフトにしていて、スタンドは、支持シャフトが貫通するパイプと、置バーと、支持アームと置バーとの角度をコントロールするコントロール版との構成に成っていて、コントロール版に形成する一対の位置確定隆起間は支持アームがはまる溝形状に成っていて、この一対の位置確定隆起を複数設けると共に、支持シャフトに二本の切り込みを設けて一方の切り切込に留ワッシャーが装着されていて、装着パイプと留ワッシャー間にスタンドの回転により支持アームと位置確定隆起との干渉幅を吸収する干渉幅吸収スプリングを設けて、他方の切り込みに紙管装着軸に設けられた紙管装着軸の位置の確定と脱落防止の２壁の間に紙管装着軸留ワッシャーが装着してあって、スタンドは回転できる、と共に、スタンドを上下左右の位置に留める事ができることを特徴とするスタンド一体型粘着テープ清掃用具。
【請求項４】
スタンド一体型粘着清掃用具において、支持具は支持グリップとグリップカバーと支持シャフトと支持アームの構成にしてあり、スタンドは巻粘着テープを跨ぐ置きバーと、置きバーを束ねるバーベースの構成にしてあって、バーベースに支持シャフトが貫通するするスライド穴と移動レバーが設けられ、置きバーとバーベースの接続部は屈伸自在に形成してあって、支持グリップにシャフト固定穴を設け、シャフト固定穴に支持シャフトエンドが挿入され固定されていて、支持グリップに移動レバーを移動するための開口部とレバー留突起を設け、グリップカバーに置きバーが貫通する角度確定穴と支持シャフトが貫通する穴が設けられていて、支持具に置きバーを出し入れできることを特徴とするスタンド一体型粘着テープ清掃用具。
【発明の詳細な説明】
【技術分野】
【０００１】
粘着テープの粘着面に微細な塵を粘着して清掃する粘着テープが支持具により回転自在に成っていて、使用後直ちに立てて置くことができる清掃用具に関する。
【背景技術】
【０００２】
粘着テープが支持具により回転自在に成っていて、使用後直ちに立てて置くことができるスタンド一体型粘着テープ清掃用具は、従来、支持具の持ち手部分方向に巻き粘着テープの覆い全体を引き寄せる構造、又、覆いの前と後ろ面を折り返すものが見られる。
【０００３】
しかしながら、従来の粘着テープの覆い全体を引き寄せる構造又は、粘着テープ使用時覆いが邪魔になる、覆いの前と後ろ面を折り返す構造では覆いの裏側が見える、欠点があった。
【先行技術文献】
【特許文献】
【０００４】
【特許文献１】実願２０１２−６８２４
【特許文献２】特開２００３−１９００６６
【非特許文献】
【０００５】
【非特許文献１】YAMAZAKI  環境用品総合カタログ２０１４、山崎産業株式会社    カタログ２０１４、ｐ８１  ニューエースローラーＣＬ４０５−０００Ｘ−ＭＢ
【非特許文献２】sm@rt357PI 粘着ローラーＨ  アズマ工業株式会社
【発明の概要】
【発明が解決しようとする課題】
【０００６】
特許文献１は、本出願と同じ分野のものが出願されていて、特許文献１は支持具の持ち手部分方向に巻き粘着テープの覆い全体を引き寄せる構造機能に成っている、しかしながら衣服に付いた微細塵を粘着させる場合覆いが邪魔になる欠点が見受けられる。
【０００７】
特許文献２と非特許文献１は同一の製品であって、巻き粘着テープを覆う覆いが２分割されて、２分割された覆いの一方に支持グリップが形成されていて、他方の覆いに２つの軸が設けられ、一方の軸に粘着テープが装着されて他方の軸により２分割された覆いが連結された形状であるが、粘着テープを使用の際に覆いが邪魔になる問題点がある。
【０００８】
本発明は、以上のような従来の欠点に鑑み、粘着テープ清掃用具において、粘着テープが支持具により回転自在に成っていて、粘着テープを覆う上カバーと、前カバーと、後ろカバーとでスタンド機能を成して、粘着テープ使用時に上カバーに前カバーと後ろカバーを格納して使用して、使用後は直ちに上カバーから前カバーと後ろカバー引き出して立てて置くことができる粘着テープ清掃用具を提供することで解消した。
【課題を解決するための手段】
【０００９】
請求項１は、スタンド一体型粘着テープ清掃用具において、粘着テープが支持具により回転自在に成っていて、粘着テープを覆う上カバーと、前カバーと、後ろカバーがスタンド機能を成して、支持具は、上カバー上に支持グリップと上カバー左右にテープホルダー面が形成されていて、左右のテープホルダー面のそれぞれに左右のテープホルダー面を左右に広げる為のフィンガーフックとテープホルダー軸とを形成して、粘着テープの左右に装着するテープホルダーにテープホルダー軸受けを形成して、テープホルダー軸にテープホルダーを回転自在に装着していて、後ろカバーの左右に後ろカバー左右面と、前カバーの左右に前カバー左右面を形成して、左右の前カバー左右面から外向きに後ろカバー装着管を形成して、後ろカバーに扇転穴を形成し扇転穴に後ろカバー装着管が挿入されていて、後ろカバーの上部の隆起部に後ろカバースタンド溝を設け、後ろカバーの下部は外向きに開いていて、後ろカバー下部に後ろカバーフック溝を形成し、上カバー後ろの下部に後ろカバーフックを設けて、後ろカバースタンド溝に後ろカバーフックを脱着容易に係止出来て、前カバーの上部の隆起部に前カバースタンド溝を設け、前カバーの下部は外向きに開いていて、前カバー下部に前カバーフック溝を形成して、上カバー前の下部に前カバーフックを設けて、前カバースタンド溝に前カバーフックが脱着容易に係止出来る、と共に、前カバーの左右に切込みを設け、前カバーの左右の間に折り曲げ溝を形成して、粘着テープを切断する際は、前カバーの下部を内側に押すと切込みと折り曲げ溝により折り曲げ溝から下が容易に内側に曲がって、前カバーの下部を粘着テープの切断部に押し当てて粘着テープの切断部を真っ直ぐ切断することが出来るスタンド一体型粘着テープ清掃用具。
【００１０】
請求項２は、スタンド一体型粘着テープ清掃用具において、粘着テープを装着する支持具とスタンドとから成る粘着テープ清掃用具であって、支持具は、支持グリップと、支持グリップから左右に伸びる支持アーム上部と、左右の支持アーム上部の左右の端が下に伸びた支持アーム側部により構成され、左右の支持アーム側部端に、フィンガーフックと、左右の支持アーム側部の両者から内向きにテープホルダー軸が形成されていて、前記スタンドは、テープホルダー軸を貫通する穴を有する足板が左右のテープホルダー軸のそれぞれに回転自在に装着されて、左右の足板はスタンドバーにより繋がれていて、左右の支持アーム側部の向かい合う両者の内面であって、左右の支持アーム側部に形成されたテープホルダー軸から放射状に上下左右に伸びる山が設けてあり、左右の足板の両者の外面であって、テープホルダー軸を貫通する穴から放射状に上下左右に伸びる溝が設けてあって、山と溝は係止できて、テープホルダー軸受けが形成されたテープホルダーが粘着テープの左右に装着されて、左右のテープホルダー軸受けに左右のテープホルダー軸が回転自在に挿入されていて、前記左右の足板とスタンドバーとの接合部にカッターバーアームが装着されていて、左右のカッターバーアームの間にカッターバーが設けてあって、左右のカッターバーアームのそれぞれ一端にアーム突起が形成され、左右の足板に穴が設けてあって、左右の足板の穴にアーム突起を脱着容易に係止出来て、カッターバーは扇転自在に成っていて、粘着テープの切断部にカッターバーを押し当てて粘着テープを真っ直ぐに切断出来るスタンド一体型粘着テープ清掃用具。
【００１１】
請求項３は、スタンド一体型粘着テープ清掃用具において、粘着テープの粘着面に微細な塵を粘着して清掃する巻粘着テープが支持具により回転自在に成っていて、使用後直ちに立置きできる清掃用具は、巻粘着テープの紙管を装着する紙管装着軸と、紙管装着軸を装着する支持具とスタンドにより形成されていて、支持具の構成を支持グリップと支持アームと支持シャフトにしていて、スタンドは、支持シャフトが貫通するパイプと、置バーと、支持アームと置バーとの角度をコントロールするコントロール版との構成に成っていて、コントロール版に形成する一対の位置確定隆起間は支持アームがはまる溝形状に成っていて、この一対の位置確定隆起を複数設けると共に、支持シャフトに二本の切り込みを設けて一方の切り切込に留ワッシャーが装着されていて、装着パイプと留ワッシャー間にスタンドの回転により支持アームと位置確定隆起との干渉幅を吸収する干渉幅吸収スプリングを設けて、他方の切り込みに紙管装着軸に設けられた紙管装着軸の位置の確定と脱落防止の２壁の間に紙管装着軸留ワッシャーが装着してあって、スタンドは回転できる、と共に、スタンドを上下左右の位置に留める事ができるスタンド一体型粘着テープ清掃用具。
【００１２】
請求項４は、  スタンド一体型粘着清掃用具において、支持具は支持グリップとグリップカバーと支持シャフトと支持アームの構成にしてあり、スタンドは巻粘着テープを跨ぐ置きバーと、置きバーを束ねるバーベースの構成にしてあって、バーベースに支持シャフトが貫通するするスライド穴と移動レバーが設けられ、置きバーとバーベースの接続部は屈伸自在に形成してあって、支持グリップにシャフト固定穴を設け、シャフト固定穴に支持シャフトエンドが挿入され固定されていて、支持グリップに移動レバーを移動するための開口部とレバー留突起を設け、グリップカバーに置きバーが貫通する角度確定穴と支持シャフトが貫通する穴が設けられていて、支持具に置きバーを出し入れできることを特徴とするスタンド一体型粘着テープ清掃用具。
【００１８】  請求項１に対応する粘着テープ清掃用具は、粘着テープ清掃用具において、粘着テープの粘着面に微細な塵を粘着して清掃する粘着テープが支持具により回転自在に成っていて、粘着テープを覆う上カバーと、前カバーと、後ろカバーがスタンド機能を成して、粘着テープ使用時に上カバーに前カバーと後ろカバーを格納して使用して、使用後は直ちに上カバーから前カバーと後ろカバー引き出して立てて置くことができる粘着テープ清掃用具である。【００１９】
支持具は、上カバー上に支持グリップと上カバー左右にテープホルダー面が形成された構成に成っていて、左右のテープホルダー面のそれぞれに左右のテープホルダー面を左右に広げる為のフィンガーフックとテープホルダー軸とを形成して、粘着テープの左右に装着するテープホルダーにテープホルダー軸受けを形成して、テープホルダー軸にテープホルダーを回転自に装着する。
【００２０】
後ろカバーの左右に後ろカバー左右面と、前カバーの左右に前カバー左右面を形成して、左右の前カバー左右面から外向きに後ろカバー左右面を装着する後ろカバー装着管を形成して、後ろカバーに扇転穴を形成して、扇転穴に後ろカバー装着管を挿入する。
【００２１】
後ろカバーの上部は隆起していて、隆起部に後ろカバースタンド溝を設け、後ろカバーの下部は外向きに開いていて、後ろカバー下部に後ろカバーフック溝を形成して、上カバー後ろの下部に後ろカバーフックを設けて、後ろカバースタンド溝に後ろカバーフックを脱着容易に係止する。
【００２２】
前カバーの上部は隆起していて、隆起部に前カバースタンド溝を設け、前カバーの下部は外向きに開いていて、前カバー下部に前カバーフック溝を形成して、上カバー前の下部に前カバーフックを設けて、前カバースタンド溝に前カバーフックを脱着容易に係止する。
【００２３】
支持グリップに支持グリップエンドから延長竿を挿入する為の延長竿穴と延長竿フックホールを設けて、延長竿に延長竿フックを形成して、延長竿フックホールに延長竿フックを脱着容易に係止する
【００２４】
粘着テープを切断する際に粘着テープの切断部を真っ直ぐ切断する為に前カバーの左右に切込みを設け、前カバーの左右の間に折り曲げ溝を形成する。
【００２５】  請求項２に対応する粘着テープ清掃用具は、粘着テープ清掃用具において、粘着テープの粘着面に微細な塵を粘着して清掃する粘着テープが支持具により回転自在に成っていて、粘着テープ清掃用具を使用後、粘着テープの粘着面が収納する面に接触する事なしに横又は立てて収納する為のスタンドが支持具に装着されている。【００２６】
支持具は、支持グリップと支持グリップから左右に伸びる支持アーム上部と、左右の支持アーム上部の左右の端が下に伸びた支持アーム側部により構成され、左右の支持アーム側部端に、左右の支持アーム側部を左右に広げる為のフィンガーフックと、左右の支持アーム側部の両者から内向きにテープホルダー軸を形成する。
【００２７】
粘着テープ清掃用具を横又は立てて収納する為のスタンドは、テープホルダー軸を貫通する穴を有する足板を左右のテープホルダー軸のそれぞれに回転自在に装着して、左右の足板をスタンドバーにより繋げる。
【００２８】
左右の支持アーム側部の向かい合う両者の内面であって、左右の支持アーム側部に形成されたテープホルダー軸から放射状に上下左右に伸びるスタンドの方向を確定する山を設けて、左右の足板の両者の外面であって、テープホルダー軸を貫通する穴から放射状に上下左右に伸びるスタンドの方向を確定する溝を設けて、溝の形状は山の形状を反映する形状にする。
【００２９】
粘着テープ左右にテープホルダー装着して、テープホルダー中央にテープホルダー軸受けを形成して、左右のテープホルダー軸受けに左右のテープホルダー軸を挿入する。
【００３０】
左右の足板とスタンドバーとの接合部にカッターバーアームを扇転自在に装着して、左右のカッターバーアームの間にカッターバーを設け、左右のカッターバーアームのそれぞれ一端にアーム突起を形成し、左右の足板に穴を設け、左右の足板の穴にアーム突起を脱着容易に係止する。
【００３１】  請求項３に対応するスタンド一体型粘着清掃用具は、粘着テープの粘着面に微細な塵を粘着して清掃する巻粘着テープが支持具により回転自在に成っていて、使用後直ちに立置きできる清掃用具は、巻粘着テープの紙管を装着する紙管装着軸と、紙管装着軸を装着する支持具とスタンドによりなされていて、支持具は支持グリップと支持アームと支持シャフトの構成に成っている。【００３２】
巻粘着テープの粘着面と置場面との空間を作るためのスタンドは、支持シャフトが貫通するパイプ部と、置バー部と、支持アームと置バーとの角度をコントロールするコントロール版部との構成に成っていて、コントロール版面に形成する二本で一対の位置確定隆起間は支持アームがはまる溝形状に成っていて、この二本で一対の位置確定隆起を複数設ける。
【００３３】
支持シャフトに二本の切り込みを設けて、一方の切込に留ワッシャーを装着して、装着パイプと留ワッシャー間にスタンドの回転により支持アームと位置確定隆起との干渉で発生する干渉幅を吸収する干渉幅吸収スプリングを設けて、他方の切り込みに紙管装着軸に設けられた紙管装着軸の位置の確定と脱落防止の２壁の間に紙管装着軸留ワッシャーを装着する。
【００３４】  請求項４に対応するスタンド一体型粘着清掃用具は、  粘着テープの粘着面に微細な塵を粘着して清掃する巻粘着テープが支持具により回転自在に成っていて、使用後直ちに立置きできるスタンド一体型巻粘着テープ清掃用具において、支持具は支持グリップとグリップカバーと支持シャフトと支持アームの構成にし、スタンドは巻粘着テープを跨ぐ置きバー４本と置きバーを束ねるバーベースの構成にして、バーベースに支持シャフトが貫通するする支持シャフトスライド穴とスタンドを指により移動するためのちいさい移動レバーを設け、置きバーとバーベースの接続部は屈伸自在に形成する。【００３５】
支持グリップに支持シャフトエンドを挿入し固定するシャフト固定穴と、スタンドに設けられた移動レバーを移動するための開口部を設け、開口部に移動レバー を留めるためのレバー留突起を設けて、支持グリップの一端に装着する支持グリップカバーに置きバーが貫通する角度確定穴と支持シャフトが貫通する穴を設ける
【発明の効果】
【００３６】
以下図面に基づき説明する。
図１−８図符合１−２７は、粘着テープ清掃用具において、粘着テープの粘着面に微細な塵を粘着して清掃する粘着テープ(１)が支持具(２)により回転自在に成っていて、粘着テープ(１)を覆うカバーを上カバー(３)と、前カバー(４)と、後ろカバー(５)にして、粘着テープ(１)と、前カバー(４)と、後ろカバー(５)を同一回転軸にしたことにおいて、粘着テープ(１)使用時に上カバー(３)に前カバー(４)と後ろカバー(５)を格納して使用できて、使用後は直ちに上カバー(３)から前カバー(４)と後ろカバー(５)引き出して立てて置くことができる。
【００３７】
支持具(２)は、上カバー(３)上に支持グリップ(６)と、上カバー(３)左右にテープホルダー面(７)が形成された構成に成っていて、左右のテープホルダー面(７)のそれぞれにフィンガーフック(８)とテープホルダー軸(９)とを形成して、粘着テープ(１)の左右に装着するテープホルダー(１０)にテープホルダー軸受け(１１)を形成して、テープホルダー軸(９)にテープホルダー(１０)を回転自在に装着されていることにおいて、フィンガーフック(８)を左右に広げてテープホルダー(１０)と粘着テープ(１)を脱着出来る。
【００３８】
後ろカバー(５)の左右に後ろカバー左右面(１２)と、前カバー(４)の左右に前カバー左右面(１３)を形成して、左右の前カバー左右面(１３)に後ろカバー(５)を装着する後ろカバー装着管(１４)が形成されて、後ろカバー左右面(１２)に扇転穴(１５)を形成して、扇転穴(１５)に後ろカバー装着管(１４)が挿入されていることにおいて、フィンガーフック(８)を左右に広げてテープホルダー(１０)と粘着テープ(１)を脱着する際にテープホルダー軸(９)から前カバー左右面(１３)と、後ろカバー左右面(１２)は脱落することはない。
【００３９】
後ろカバー(５)の上部は隆起していて、隆起部に後ろカバースタンド溝(１６)を設け、上カバー(３)後ろの下部に後ろカバーフック(１８)を設けて、後ろカバースタンド溝(１６)に後ろカバーフック(１８)を脱着容易に係止して、前カバー(４)の上部は隆起していて、隆起部に前カバースタンド溝(１９)を設け、上カバー(３)前の下部に前カバーフック(２１)を設けて、前カバースタンド溝(１９)に前カバーフック(２１)を脱着容易に係止することにおいて粘着テープ清掃用具は立てて置くことが出来る。
【００４０】
後ろカバー(５)の下部は外向きに開いていて、後ろカバー(５)下部に後ろカバーフック溝(１７)を形成して、上カバー(３)後ろの下部に後ろカバーフック(１８)を設けていることにおいて、後ろカバー(５)を上げて後ろカバーフック溝(１７)に後ろカバーフック(１８)を脱着容易に係止出来る。
【００４１】
前カバー(４)の下部は外向きに開いていて、前カバー(４)下部に前カバーフック溝(２０)を形成して、上カバー(３)前の下部に前カバーフック(２１)を設けていることにおいて、前カバー(４)を上げて前カバーフック溝(２０)に前カバーフック(２１)を脱着容易に係止出来る。
【００４２】
支持グリップ(６)に支持グリップエンドから延長竿(２２)を挿入する延長竿穴(２３)と延長竿フックホール(２４)を設けて、延長竿(２２)に延長竿フック(２５)を形成していることにおいて、延長竿フックホール(２４)に延長竿フック(２５)を脱着容易に係止出来る。
【００４３】
前カバー(４)の左右に切込み(２６)を設け、前カバー(４)の左右の間に折り曲げ溝(２７)を形成することにおいて、前カバー(４)の下部を内側に押すと折り曲げ溝(２７)から下を容易に内側に曲げることが出来る。
【００４４】
図９−１３図符合２８−符合４４は、粘着テープ清掃用具を立てて収納する為のスタンド(３０)は、足板(３６)にテープホルダー軸(３５)を貫通する穴を設けて、左右の足板(３６)をスタンドバー(３７))により繋げることにおいて、左右のテープホルダー軸(３５)のそれぞれに足板(３６)を回転自在に装着出来る。
【００４５】
左右の支持アーム側部(３３)の向かい合う両者の内面であって、左右の支持アーム側部(３３)に形成されたテープホルダー軸(３５)から放射状に上下左右に伸びる山(３８)を設けて、左右の足板(３６)の両者の外面であって、テープホルダー軸(３５)を貫通する穴から放射状に上下左右に伸びる溝(３９)を設けて、溝(３９)の形状は山(３８)の形状を反映する形状にすることにおいて。溝(３９)に山(３８)を係止してスタンドの方向を確定する事が出来る。
【００４６】
左右の足板(３６)とスタンドバー(３７)との接合部にカッターバーアーム(４２)を装着して、左右のカッターバーアーム(４２)の間にカッターバー(４３)を設け、左右のカッターバーアーム(４２)のそれぞれ一端にアーム突起(４４)を形成し、左右の足板(３６)に穴を設け、左右の足板(３６)の穴にアーム突起(４４)を脱着容易に係止することにおいて、左右の足板(３６)の穴とアーム突起(４４)との係止を解いてカッターバー(４３)を扇転自在にできる、と共に、粘着テープ(２８)の切断部にカッターバー(４３)を押し当てて粘着テープ(２８)を真っ直ぐに切断出来る。
【００４７】
図１４−図２０符合４５−符号５９は、粘着テープの粘着面に微細な塵を粘着して清掃する巻粘着テープが支持具(４５)により回転自在に成っていて、使用後直ちに立置き、又は、横置きできる清掃用具は、スタンド(４７)にパイプ(５１)部を設けたことにおいて、パイプ(５１)部に支持シャフト(５０)を貫通させて支持具(４５)にスタンド(４７)を回転自在に装着出来る。
【００４８】
スタンド(４７)に回転コントロール版(５３)を設け、回転コントロール版(５３)に二本で一対の位置確定隆起(５４)を形成して位置確定隆起(５４)間は溝形状にしたことにおいて、位置確定隆起(５４)間に支持アーム(４９)を合わせてスタンド(４７)の位置を決めることが出来る。
【００４９】
支持シャフト(５０)に切り込みを設けて切込に留ワッシャー(５５)を装着して、装着パイプ(５１)と留ワッシャー(５５)間に干渉幅吸収スプリング(５６)を設けたことにおいて、スタンド(４７)の回転により支持アーム(４９)と位置確定隆起(５４)との干渉で発生する干渉幅を吸収することが出来る。
【００５０】
図２１−図２６符合６０−符号７６は、粘着テープの粘着面に微細な塵を粘着して清掃する巻粘着テープ(６０)が支持具(６１)により回転自在に成っていて、使用後直ちに立置きできるスタンド(６２)一体型巻粘着テープ(６０)清掃用具において、支持グリップ(６３)に開口部(７３)が形成され、開口部(７３)にレバー留突起(７４)を形成してあることにおいて、開口部(７３)内で移動レバー(７１)を移動することが出来ると共に、開口部(７３)の両端に移動レバー(７１)を留めることが出来る。
【００５１】
バーベース(６８)に支持シャフト(６５)が貫通するするスライド穴(６９)を設けたことにおいて、支持シャフト(６５)にスタンド(６２)を装着することが出来る。
【００５２】
支持グリップ(６３)の一端に装着する支持グリップカバー(６４)に置バー(６７)が貫通する角度確定穴(７５)と支持シャフト(６５)が貫通する穴(７６)を設け、バーベース(６８)に支持シャフト(６５)が貫通するするスライド穴(６９)が設けられ、置きバー(６７)とバーベース(６８)の接続部(７０)は屈伸自在に形成されていて、角度確定穴(７５)と穴(７６)の距離がスライド穴(６９)と接続部(７０)の距離よりも長く形成されていることにおいて、支持シャフト(６５)にスタンド(６２)を装着してスタンド(６２)の移動と共に接続部(７０)を支点として支持シャフト(６５)と置きバー(６７)の開閉角度を変化することが出来る。
【００５３】
置きバー(６７)とバーベース(６８)の接続部は屈伸自在に形成することにおいて、スタンド(６２)の移動と共に発生する接続部(７０)を支点として支持シャフト(６５)と置きバー(６７)の開閉角度の変化に対応することが出来る。
【００５４】
支持シャフト(６５)と置きバー(６７)の開閉角度を変化出来ることにおいて、置きバー(６７)４本間の距離を変化させ置きバー(６７)間を開閉させて巻粘着テープ(６０)を跨ぐことが出来る。
【図面の簡単な説明】
【００５５】
【図１】支持具(２)と上カバー(３)と前カバー(４)の正面図、Ａ−Ａ線切断線を示す。
【図２】テープホルダー面(７)と後ろカバー左右面(１２)と前カバー左右面(１３)の右側面図、切断線Ｂ−Ｂ線を示す。
【図３】図２のＢ−Ｂ線切断部端面図、上カバー(３)に前カバー(４)と後ろカバー(５)を格納している。
【図４】図１のＡ−Ａ線切断部端面図。
【図５】図１のＡ−Ａ線切断部端面図、上カバー(３)に前カバー(４)と後ろカバー(５)を格納している。
【図６】図２の参考Ｂ−Ｂ線参考切断部端面図、テープホルダー軸(９)と、テープホルダー軸受け(１１)と、後ろカバー装着管(１４)と、扇転穴(１５)を示す。
【図７】切込み(２６)と折り曲げ溝(２７)を設けた前カバー(４)の正面図、Ｃ−Ｃ線切断線を示す。
【図８】図７のＣ−Ｃ線切断部端面図。
【図９】支持具(２９)とスタンド(３０)の正面図、Ｄ−Ｄ線切断線を示す。
【図１０】支持アーム側部(３３)と足板(３６)の右側面図、切断線Ｅ−Ｅ線を示す。
【図１１】図９のＤ−Ｄ線切断部端面図。
【図１２】図１０のＥ−Ｅ線切断部端面図。
【図１３】カッターバー(４３)を粘着テープ(２８)の切断部に押し当てた支持アーム側部(３３)と足板(３６)の右側面図。
【図１４】支持具(４５)と紙管装着軸(４６)とスタンド(４７)の正面図。
【図１５】支持具(４５)より下のであって、 紙管装着軸(４６)とスタンド(４７)の背面図。
【図１６】支持具(４５)より下のであって、紙管装着軸(４６)とコントロール板(５３)の平面図、Ｆ−Ｆ線切断線を示す。
【図１７】図１６のＦ−Ｆ線切断部端面図。
【図１８】紙管装着軸(４６)とコントロール板(５３)の底面図。
【図１９】紙管装着軸(４６)とコントロール版(５３)の右側面図。
【図２０】紙管装着軸(４６)と置バー(５２)の左側面図。
【図２１】支持グリップ(６３)と置きバー(６７)の正面図。
【図２２】支持グリップ(６３)と置きバー(６７)の背面図。
【図２３】支持具(６１)とスタンド(６２)のイメージ正面図。
【図２４】支持具(６１)とスタンド(６２)のイメージ正面図、切断線Ｇ−Ｇ線と切断線Ｈ−Ｈ線を示し、スタンド(６２)を支持グリップ(６３)に格納している。
【図２５】図２４のＧ−Ｇ線切断部端面図。
【図２６】図２４のＨ−Ｈ線切断部端面図。
【発明を実施するための形態】
【００５６】
以下図面に基づき説明する。
図１−８図符合１−２７は、粘着テープ清掃用具において、粘着テープの粘着面に微細な塵を粘着して清掃する粘着テープ(１)が支持具(２)により回転自在に成っていて、粘着テープ(１)を覆う上カバー(３)と、前カバー(４)と、後ろカバー(５)とによりスタンド機能を成して、粘着テープ(１)使用時に上カバー(３)に前カバー(４)と後ろカバー(５)を格納して使用して、使用後は直ちに上カバー(３)から前カバー(４)と後ろカバー(５)を扇転し引き出して立てて置くことができる粘着テープ(１)清掃用具である。
【００５７】
支持具(２)は、上カバー(３)上に支持グリップ(６)と上カバー(３)左右にテープホルダー面(７)が形成された構成に成っていて、左右のテープホルダー面(７)のそれぞれに左右のテープホルダー面(７)を左右に広げる為のフィンガーフック(８)とテープホルダー軸(９)とを形成して、粘着テープ(１)の左右に装着するテープホルダー(１０)にテープホルダー軸受け(１１)を形成して、テープホルダー軸(９)にテープホルダー(１０)を回転自に装着する。
【００５８】
後ろカバー(５)の左右に後ろカバー左右面(１２)と、前カバー(４)の左右に前カバー左右面(１３)を形成して、左右の前カバー左右面(１３)から外向きに後ろカバー左右面(１２)を装着する後ろカバー装着管(１４)を形成して、後ろカバー(５)に扇転穴(１５)を形成して、扇転穴(１５)に後ろカバー装着管(１４)を挿入する。
【００５９】
後ろカバー(５)の上部は隆起していて、隆起部に後ろカバースタンド溝(１６)を設け、後ろカバー(５)の下部は外向きに開いていて、後ろカバー(５)下部に後ろカバーフック溝(１７)を形成して、上カバー(３)後ろの下部に後ろカバーフック(１８)を設けて、後ろカバースタンド溝(１６)に後ろカバーフック(１８)を脱着容易に係止する。
【００６０】
前カバー(４)の上部は隆起していて、隆起部に前カバースタンド溝(１９)を設け、前カバー(４)の下部は外向きに開いていて、前カバー(４)下部に前カバーフック溝(２０)を形成して、上カバー(３)前の下部に前カバーフック(２１)を設けて、前カバースタンド溝(１９)に前カバーフック(２１)を脱着容易に係止する。
【００６１】
支持グリップ(６)に支持グリップエンドから延長竿(２２)を挿入する為の延長竿穴(２３)と延長竿フックホール(２４)を設けて、延長竿(２２)に延長竿フック(２５)を形成して、延長竿フックホール(２４)に延長竿フック(２５)を脱着容易に係止する
【００６２】
粘着テープ(１)を切断する際に粘着テープ(１)の切断部を真っ直ぐ切断する為に前カバー(４)の左右に切込み(２６)を設け、前カバー(４)の左右の間に折り曲げ溝(２７)を形成する。
【００６３】
図１−図８符合１−２７の粘着テープ清掃用具の使用方法は、粘着テープ清掃用具が立置されている場合からの使用は、支持グリップ(６)を握って粘着テープ清掃用具を持ち上げて、前カバー(４)下部を指で上に上げて前カバースタンド溝(１９)と前カバーフック(２１)の係止を解いて、更に前カバー(４)下部を上に上げる、と共に、前カバー(４)はテープホルダー軸(９)を回転軸として扇転して、前カバーフック溝(２０)を前カバーフック(２１)に係止する。
【００６４】
後ろカバー(５)下部を指で上に上げて後ろカバースタンド溝(１６)と後ろカバーフック(１８)の係止を解いて、更に後ろカバー(５)下部を上に上げる、と共に、後ろカバー(５)は後ろカバー装着管(１４) を回転軸として扇転して、後ろカバーフック溝(１７)を後ろカバーフック(１８)に係止する事により粘着テープ清掃用具は使用可能状態になる。
【００６５】
粘着テープ(１)の交換は、フィンガーフック(８)を指で外に広げる、と共に、テープホルダー軸(９)も外側に広がり、テープホルダー軸(９)はテープホルダー軸受け(１１)より外れてテープホルダー(１０)と粘着テープ(１)を取り外す。
【００６６】
粘着テープ(１)を切断する際は、前カバー(４)の下部を内側に押すと切込み(２６)と折り曲げ溝(２７)により折り曲げ溝(２７)から下が容易に内側に曲がって、前カバー(４)の下部を粘着テープ(１)の切断部に押し当てて粘着テープ(１)の切断部を真っ直ぐ切断することが出来る。
【００６７】
図９−１３図符合２８−符合４４は、粘着テープ清掃用具において、粘着テープ(２８)の粘着面に微細な塵を粘着して清掃する粘着テープ(２８)が支持具(２９)により回転自在に成っていて、粘着テープ清掃用具を使用後、粘着テープ(２８)の粘着面が収納する面に接触する事なしに横又は立てて収納する為のスタンド(３０)が支持具(２９)に装着されている。
【００６８】
支持具(２９)は、支持グリップ(３１)と支持グリップ(３１)から左右に伸びる支持アーム上部(３２)と、左右の支持アーム上部(３２)の左右の端が下に伸びた支持アーム側部(３３)により構成され、左右の支持アーム側部(３３)端に、左右の支持アーム側部(３３)を左右に広げる為のフィンガーフック(３４)と、左右の支持アーム側部(３３)の両者から内向きにテープホルダー軸(３５)を形成する。
【００６９】
粘着テープ清掃用具を立てて収納する為のスタンド(３０)は、テープホルダー軸(３５)を貫通する穴を有する足板(３６)を左右のテープホルダー軸(３５)のそれぞれに回転自在に装着して、左右の足板(３６)をスタンドバー(３７)により繋げる。
【００７０】
左右の支持アーム側部(３３)の向かい合う両者の内面であって、左右の支持アーム側部(３３)に形成されたテープホルダー軸(３５)から放射状に上下左右に伸びるスタンド(３０)の方向を確定する山(３８)を設けて、左右の足板(３６)の両者の外面であって、テープホルダー軸(３５)を貫通する穴から放射状に上下左右に伸びるスタンド(３０)の方向を確定する溝(３９)を設けて、溝(３９)の形状は山(３８)の形状を反映する形状にする。
【００７１】
粘着テープ(２８)左右にテープホルダー(４０)装着して、テープホルダー(４０)中央にテープホルダー軸受け(４１)を形成して、左右のテープホルダー軸受け(４１)に左右のテープホルダー軸(３５)を挿入する。
【００７２】
左右の足板(３６)とスタンドバー(３７)との接合部にカッターバーアーム(４２)を扇転自在に装着して、左右のカッターバーアーム(４２)の間にカッターバー(４３)を設け、左右のカッターバーアーム(４２)のそれぞれ一端にアーム突起(４４)を形成し、左右の足板(３６)に穴を設け、左右の足板(３６)の穴にアーム突起(４４)を脱着容易に係止する。
【００７３】
図９−図１３符合２８−符合４４の粘着テープ清掃用具の使用方法は、粘着テープ清掃用具が立置されている場合からの使用は、支持グリップ(３１)を握って粘着テープ清掃用具を持ち上げて、スタンド(３０)のスタンドバー(３７))を指でつまんで回転する、と共に、溝(３９)と山(３８)の係止は解かれて、スタンドバー(３７))を支持アーム上部(３２)下に格納する、と共に、溝(３９)と山(３８)は係止されて粘着テープ清掃用具は使用可能状態になる。
【００７４】
粘着テープ(２８)の交換は、フィンガーフック(３４)を指で外に広げる、と共に、テープホルダー軸(３５)も外側に広がり、テープホルダー軸(３５)はテープホルダー軸受け(４１)より外れて、テープホルダー(４０)と粘着テープ(２８)を取り外す。
【００７５】
粘着テープ(２８)の切断は、粘着テープ(２８)の端を引き出し、左右の足板(３６)の穴とアーム突起(４４)との係止を解いて、カッターバー(４３)を扇転して粘着テープ(２８)の切断部にカッターバー(４３)を押し当てて粘着テープ(２８)を切断する。
【００７６】
図１４−図２０符合４５−符号５９は、粘着テープの粘着面に微細な塵を粘着して清掃する巻粘着テープが支持具(４５)により回転自在に成っていて、使用後直ちに横置き、又は立置きできる清掃用具は、巻粘着テープの紙管を装着する紙管装着軸(４６)と、紙管装着軸(４６)を装着する支持具(４５)とスタンド(４７)によりなされていて、支持具(４５)は支持グリップ(４８)と支持アーム(４９)と支持シャフト(５０)の構成に成っている。
【００７７】
巻粘着テープの粘着面と置場面との空間を作るためのスタンド(４７)は、支持シャフト(５０)が貫通するパイプ(５１)部と、置バー(５２)部と、支持アーム(４９)と置バー(５２)との角度をコントロールするコントロール版(５３)部との構成に成っていて、コントロール版(５３)面に形成する二本で一対の位置確定隆起(５４)間は支持アーム(４９)がはまる溝形状に成っていて、この二本で一対の位置確定隆起(５４)を複数設ける。
【００７８】
支持シャフト(５０)に二本の切り込みを設けて、一方の切込に留ワッシャー(５５)を装着して、装着パイプ(５１)と留ワッシャー(５５)間にスタンド(４７)の回転により支持アーム(４９)と位置確定隆起(５４)との干渉で発生する干渉幅を吸収する干渉幅吸収スプリング(５６)を設けて、他方の切り込みに紙管装着軸(４６)に設けられた紙管装着軸(４６)の位置の確定と脱落防止の２壁(５７)の間に紙管装着軸留ワッシャー(５８)を装着する。
【００７９】
図1４−図２０符合４５−符号５９のスタンド一体型巻粘着テープ清掃用具が立置されている場合からの使用は、置バー(５２)を支持グリップ(４８)と紙管装着軸(４６)間に収めるために、一方の手で支持グリップ(４８)を握り取り上げ他方の手の指をコントロール部(５９)に引っ掛けて、支持グリップ(４８)方向にコントロール版(５３)を１８０度回転して、支持アーム(４９)を位置確定隆起(５４)間にセットして使用する、使用後横置きの場合は指をコントロール部(５９)に引っ掛けてコントロール版を９０度回転し支持アーム(４９)を位置確定隆起(５４)間にセットして使用するする。
【００８０】
図２１−図２６符合６０−符号７６は、粘着テープの粘着面に微細な塵を粘着して清掃する巻粘着テープ(６０)が支持具(６１)により回転自在に成っていて、使用後直ちに立置きできるスタンド(６２)一体型巻粘着テープ清掃用具において、支持具(６１)は支持グリップ(６３)とグリップカバー(６４)と支持シャフト(６５)と支持アーム(６６)の構成にして、スタンド(６２)は巻粘着テープ(６０)を跨ぐ置きバー(６７)４本と置きバー(６７)を束ねるバーベース(６８)の構成にして、バーベース(６８)に支持シャフト(６５)が貫通するする支持シャフト(６５)スライド穴(６９)とスタンド(６２)を指により移動するためのちいさい移動レバー(７１)を設け、置バー(６７)とバーベース(６８)の接続部(７０)は屈伸自在に形成する。
【００８１】
支持グリップ(６３)に支持シャフト(６５)の一端を挿入して固定するためのシャフト固定穴(７２)と、スタンド(６２)に設けられた移動レバー(７１)を移動するための開口部(７３)を設け、開口部(７３)に移動レバー(７１)を留めるためのレバー留突起(７４)を設けて、支持グリップ(６３)の一端に装着する支持グリップカバー(６４)に置きバー(６７)が貫通する角度確定穴(７５)と支持シャフト(６５)が貫通する穴(７６)を設ける。
【００８２】
図２１−図２６符合６０−符号７６のスタンド(６２)一体型巻粘着テープ清掃用具が立置されている場合からの使用は、一方の手で支持グリップ(６３)を握り取り上げ他方の手の指を使用して移動レバー(７１)を強めに動かしてレバー留突起(７４)と移動レバー(７１)の係止を解いて、移動レバー(７１)を支持グリップ(６３)エンド方向に開口部(７３)内を移動すると共に置きバー(６７)が支持グリップ(６３)内に格納されて、さらにレバー留突起(７４)に移動レバー(７１)を係止して使用する
【産業上の利用可能性】
【００８３】
塗料塗りローラー、ワックス塗りローラーに使用可能。
【符号の説明】
【００８４】
１  粘着テープ
２  支持具
３  上カバー
４  前カバー
５  後ろカバー
６  支持グリップ
７  テープホルダー面  
８  フィンガーフック
９  テープホルダー軸
１０  テープホルダー
１１  テープホルダー軸受け
１２  後ろカバー左右面
１３  前カバー左右面
１４  後ろカバー装着管
１５  扇転穴
１６  後ろカバースタンド溝
１７  後ろカバーフック溝
１８  後ろカバーフック
１９  前カバースタンド溝
２０  前カバーフック溝
２１  前カバーフック
２２  延長竿
２３  延長竿穴
２４  延長竿フックホール
２５  延長竿フック
２６  切込み
２７  折り曲げ構
２８  粘着テープ
２９  支持具
３０  スタンド
３１  支持グリップ
３２  支持アーム上部
３３  支持アーム側部
３４  フィンガーフック
３５  テープホルダー軸
３６  足板
３７  スタンドバー
３８  山
３９  溝
４０  テープホルダー
４１  テープホルダー軸受け
４２  カッターバーアーム
４３  カッターバー
４４  アーム突起
４５  支持具
４６  紙管装着軸
４７  スタンド
４８  支持グリップ
４９  支持アーム
５０  支持シャフト
５１  パイプ
５２  置バー
５３  コントロール版
５４  位置確定隆起
５５  留ワッシャー
５６  干渉幅吸収スプリング
５７  壁
５８  紙管装着軸留ワッシャー
５９  コントロール部
６０  巻粘着テープ
６１  支持具
６２  スタンド
６３  支持グリップ
６４  グリップカバー
６５  支持シャフト
６６  支持アーム
６７  置きバー  
６８  バーベース
６９  スライド穴
７０  接続部
７１  移動レバー
７２  シャフト固定穴
７３  開口部
７４  レバー留突起
７５  角度確定穴
７６  穴
【図１】
0005915917.tif 000002
【図２】
0005915917.tif 000003
【図３】
0005915917.tif 000004
【図４】
0005915917.tif 000005
【図５】
0005915917.tif 000006
【図６】
0005915917.tif 000007
【図７】
0005915917.tif 000008
【図８】
0005915917.tif 000009
【図９】
0005915917.tif 000010
【図１０】
0005915917.tif 000011
【図１１】
0005915917.tif 000012
【図１２】
0005915917.tif 000013
【図１３】
0005915917.tif 000014
【図１４】
0005915917.tif 000015
【図１５】
0005915917.tif 000016
【図１６】
0005915917.tif 000017
【図１７】
0005915917.tif 000018
【図１８】
0005915917.tif 000019
【図１９】
0005915917.tif 000020
【図２０】
0005915917.tif 000021
【図２１】
0005915917.tif 000022
【図２２】
0005915917.tif 000023
【図２３】
0005915917.tif 000024
【図２４】
0005915917.tif 000025
【図２５】
0005915917.tif 000026
【図２６】
0005915917.tif 000027